(57)【要約】  マルチキャリアシステムにおける信号の送信方法、受信方法、送信装置および受信装置が提供される。送信方法は以下のステップを含む。パラメータとして使用されるセル識別情報に従って系列が生成される。セル識別情報は、同じセル内の複数の搬送波のセル識別情報間の事前定義の関数対応関係を満たす。上記対応関係は、０以上、セル識別情報の最大値以下の任意の整数であるＮで搬送波のセル識別情報を割ることにより得られる商の端数を切り捨てて整数にすることにより得られる結果間の対応関係を含む。系列によって形成された信号または系列の作用により形成された信号が送られる。これらの方法および装置は、マルチキャリアシステムのためのセル計画を容易にし、異なるセル間の上りパイロット干渉を回避する。
2011526107.tif 000002
【特許請求の範囲】
【請求項１】
マルチキャリアシステムにおいて信号を送る方法であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、パラメータとして使用されるセルＩＤに従って系列を生成することと、
前記系列により形成された信号または前記系列の処理により形成された信号を送ることと、
を含む、方法。
【請求項２】
前記Ｎで搬送波のセルＩＤを割ることにより生じる商の端数を切り捨てることにより得られる結果間の対応関係は、
０より大且つセルＩＤの最大値以下の任意の整数であるＮで搬送波のセルＩＤを割ることにより生じる商の端数を切り捨てることにより得られる結果が等しいことを含む、
請求項１に記載の方法。
【請求項３】
前記Ｎで搬送波のセルＩＤを割ることにより得られる余り間の対応関係は、
０より大且つセルＩＤの最大値以下の任意の整数であるＮで搬送波のセルＩＤを割ることにより得られる余りが等しいことを含む、
請求項１に記載の方法。
【請求項４】
前記信号は、上りパイロットの符号系列であり、
前記符号系列は、グループ・ホッピング・パターンおよび系列シフトパターンによって決定される、
請求項１から３のいずれか１項に記載の方法。
【請求項５】
前記信号は、同期チャネルのランダム信号である、
請求項１から３のいずれか１項に記載の方法。
【請求項６】
マルチキャリアシステムにおいて信号を受け取る方法であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、パラメータとして使用されるセルＩＤに従って生成される系列により形成された信号または前記系列の作用により形成された信号を受け取ること
を含む、方法。
【請求項７】
前記Ｎで搬送波のセルＩＤを割ることにより生じる商の端数を切り捨てることにより得られる結果間の対応関係は、
０より大且つセルＩＤの最大値以下の任意の整数であるＮで搬送波のセルＩＤを割ることにより生じる商の端数を切り捨てることにより得られる結果が等しいことを含む、
請求項６に記載の方法。
【請求項８】
前記Ｎで搬送波のセルＩＤを割ることにより得られる余り間の対応関係は、
０より大且つセルＩＤの最大値以下の任意の整数であるＮで搬送波のセルＩＤを割ることにより得られる余りが等しいことを含む、
請求項６に記載の方法。
【請求項９】
前記信号は、同期チャネルのランダム信号である、
請求項６に記載の方法。
【請求項１０】
前記同期チャネルのランダム信号を受け取ることは、
ローカルセルの構成搬送波上のセルＩＤを検出することと、
前記ローカルセル内の構成搬送波のセルＩＤ間の対応関係と、前記ローカルセル内の１つまたは複数の搬送波のセットまたはサブセットにおける搬送波の数および搬送波の周波数領域における位置を含むネットワーク側エンティティによって提供されるマルチキャリア構成情報とに従った計算によって得られる、前記ローカルセル内の別の構成搬送波の同期チャネル上のランダム系列を取得すること、
前記ランダム系列を受け取ることと、
を含む、請求項９に記載の方法。
【請求項１１】
前記同期チャネルのランダム信号を受け取ることは、
隣接セル内の搬送波のセットまたはサブセットにおける搬送波の数および搬送波の周波数領域における位置を含むネットワーク側エンティティによって提供されるマルチキャリア構成情報を受け取ることと、
前記ローカルセルの前記隣接セル内の構成搬送波のセルＩＤを検出することと、
前記隣接セル内の構成搬送波を有する同じセットまたはサブセットにおける別の構成搬送波の同期チャネル上のランダム系列を取得することと、
前記ランダム系列を受け取ることと、
を含む、請求項９に記載の方法。
【請求項１２】
前記マルチキャリア構成情報は、前記ネットワーク側エンティティによってブロードキャストまたは専用シグナリングを介して提供される、
請求項１０または１１に記載の方法。
【請求項１３】
マルチキャリアシステムにおいて信号を受け取る方法であって、
ユーザ端末（ＵＥ）が、同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、ネットワーク側エンティティによって提供されるセルＩＤを含む情報を受け取ること
を含む、方法。
【請求項１４】
前記Ｎで搬送波のセルＩＤを割ることにより生じる商の端数を切り捨てることにより得られる結果間の対応関係は、
０より大且つセルＩＤの最大値以下の任意の整数であるＮで搬送波のセルＩＤを割ることにより生じる商の端数を切り捨てることにより得られる結果が等しいことを含む、
請求項１３に記載の方法。
【請求項１５】
前記Ｎで搬送波のセルＩＤを割ることにより得られる余り間の対応関係は、
前記０より大且つセルＩＤの最大値以下の任意の整数であるＮで搬送波のセルＩＤを割ることにより得られる余りが等しいことを含む、
請求項１３に記載の方法。
【請求項１６】
マルチキャリアシステムにおいて信号を送る装置であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たすセルＩＤをパラメータとして使用することにより系列を生成するように構成された第１の処理部と、
前記系列により形成された信号または前記系列の作用により形成された信号を送るように構成された第２の処理部と、
を備える、装置。
【請求項１７】
前記Ｎで搬送波のセルＩＤを割ることにより生じる商の端数を切り捨てることにより得られる結果間の対応関係は、
０より大且つセルＩＤの最大値以下の任意の整数であるＮで搬送波のセルＩＤを割ることにより生じる商の端数を切り捨てることにより得られる結果が等しいことを含む、
請求項１６に記載の装置。
【請求項１８】
前記Ｎで搬送波のセルＩＤを割ることにより得られる余り間の対応関係は、
０より大且つセルＩＤの最大値以下の任意の整数であるＮで搬送波のセルＩＤを割ることにより得られる余りが等しいことを含む、
請求項１６に記載の装置。
【請求項１９】
前記信号は、上りパイロットの符号系列であり、
前記送信系列は、グループ・ホッピング・パターンおよび系列シフトパターンによって決定される、
請求項１６から１８のいずれか１項に記載の装置。
【請求項２０】
前記信号は、同期チャネルのランダム信号である、
請求項１６から１８のいずれか１項に記載の装置。
【請求項２１】
マルチキャリアシステムにおいて信号を受け取る装置であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮでセルＩＤを割ることにより得られる余り間の対応関係を含む事前定義の関数対応関係を満たす、パラメータとして使用されるセルＩＤに従って生成される系列により形成された信号または前記系列の作用により形成された信号を受け取るように構成された第３の処理部
を備える、装置。
【請求項２２】
前記Ｎで搬送波のセルＩＤを割ることにより生じる商の端数を切り捨てることにより得られる結果間の対応関係は、
０以上且つセルＩＤの最大値以下の任意の整数であるＮで搬送波のセルＩＤを割ることにより生じる商の端数を切り捨てることにより得られる結果が等しいことを含む、
請求項２１に記載の装置。
【請求項２３】
前記Ｎで搬送波のセルＩＤを割ることにより得られる余り間の対応関係は、
０より大且つセルＩＤの最大値以下の任意の整数であるＮで搬送波のセルＩＤを割ることにより得られる余りが等しいことを含む、
請求項２１に記載の装置。
【請求項２４】
前記第３の処理部は、
ローカルセルの構成搬送波上のセルＩＤを検出するように構成された第１の検出部と、
前記セル内の各構成搬送波のセルＩＤ間の前記事前定義の関数対応関係と、類似の伝搬特性およびカバレージを有する前記セル内の１つまたは複数の搬送波のセットまたはサブセットにおける搬送波の数および搬送波の周波数領域における位置を含むネットワーク側エンティティによって提供されるマルチキャリア構成情報とに従った計算によって、前記セル内の別の構成搬送波の同期チャネル上のランダム系列を取得し、前記ランダム系列を受け取るように構成された第４の処理部と、
を備える、請求項２１に記載の装置。
【請求項２５】
前記第３の処理部は、
ネットワーク側エンティティによって送られる、類似の伝搬特性およびカバレージを有する、ローカルセルの隣接セル内の搬送波のセットまたはサブセットにおける搬送波の数および搬送波の周波数領域における位置を含むマルチキャリア構成情報を受け取り、前記隣接セルの構成搬送波上のセルＩＤを検出するように構成された第２の検出部と、
前記隣接セルの各構成搬送波のセルＩＤ間の前記事前定義の関数対応関係に従った計算により、前記隣接セル内の同期チャネル上の別の構成搬送波のランダム系列を取得し、前記ランダム系列を受け取るように構成された第５の処理部と、
を備える、請求項２１に記載の装置。
【請求項２６】
前記マルチキャリア構成情報は、前記ネットワーク側エンティティによってブロードキャストまたは専用シグナリングを介して提供される、
請求項２４または２５に記載の装置。
【請求項２７】
マルチキャリアシステムにおいて信号を受け取る装置であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、ネットワーク側エンティティによって提供されるセルＩＤを含む情報を受け取るように構成された第４の処理部
を備える、装置。
【請求項２８】
前記Ｎで搬送波のセルＩＤを割ることにより生じる商の端数を切り捨てることにより得られる結果間の対応関係は、
０より大且つセルＩＤの最大値以下の任意の整数であるＮで搬送波のセルＩＤを割ることにより生じる商の端数を切り捨てることにより得られる結果が等しいことを含む、
請求項２７に記載の装置。
【請求項２９】
前記Ｎで搬送波のセルＩＤを割ることにより得られる余り間の対応関係は、
０より大且つセルＩＤの最大値以下の任意の整数であるＮで搬送波のセルＩＤを割ることにより生じる商の端数を切り捨てることにより得られる結果が等しいことを含む、
請求項２７に記載の装置。
【発明の詳細な説明】
【技術分野】
【０００１】
本発明は通信およびネットワーク技術の分野に関し、詳細には、マルチキャリアシステムにおける信号の送信方法、受信方法、送信装置、および受信装置に関する。
【背景技術】
【０００２】
セルＩＤは非常に重要である。既存のロング・ターム・エボルーション（ＬＴＥ）システムでは、パラメータとして使用されるセルＩＤに従って系列（sequence）が生成され、この系列によりまたはこの系列の作用（action）により信号が形成される。このシステムではセルＩＤが、セルの下りパイロット上で送られるランダム系列および下りチャネルのスクランブリング系列の１つの初期パラメータとして使用される。下りパイロットおよび他のチャネルのリソース・マッピング・モードはセルＩＤによる影響を受け、同期チャネルのランダム系列もセルＩＤによって決定される。加えて、セルＩＤはさらに、上りパイロットが属する系列グループ番号も決定し、よって、ユーザ端末（ＵＥ）がその上りパイロットを送るときに使用されるべき符号を決定する。
【０００３】
将来のＬＴＥ−Ａシステムはより広い帯域幅をサポートすることができ、より広い帯域幅をサポートするための１つの可能な方法がキャリアアグリゲーション、すなわち、１ユーザに複数の搬送波を同時に割り当てることである。また各搬送波は構成搬送波（component carrier）とも呼ばれ、これはＬＴＥ搬送波とすることもでき、このときＬＴＥをサポートするＵＥはそのＬＴＥ搬送波にアクセスすることができる。当然ながら搬送波の中には非ＬＴＥ搬送波が含まれることもあり、このときＬＴＥ  ＵＥは、その非ＬＴＥ搬送波にアクセスすることができない。いずれにしても、キャリアアグリゲーションの設計を使用することにより、各構成搬送波にすでに存在するＬＴＥ設計の大部分を確保することができ、システム側とＵＥ側とにおける変更を低減することができる。
【０００４】
キャリアアグリゲーションが使用されるときに、いくつかの構成搬送波のセルＩＤが同一である場合、送信部の複数のキャリア上の下り共通パイロットの符号系列と同期チャネル上の符号系列とが同時に完全に同一となる可能性があり、この場合にはピーク平均電力比（ＰＡＰＲ：Ｐｅａｋ  Ａｖｅｒａｇｅ  Ｐｏｗｅｒ  Ｒａｔｉｏ）が高くなる。さらに、上りでは、複数の搬送波のセルＩＤが同じである場合、それら複数の搬送波は同じホッピング系列グループに属し、同じグループ・ホッピング・パターンおよび同じ系列シフトパターンを有する。このとき、いくつかの搬送波上でＵＥに同じ帯域幅が割り振られた場合、ＵＥに複数の搬送波上で上りパイロットの同じ符号系列が送信される確率が高くなり、高ＰＡＰＲの問題が生じやすくなる。上記の問題を回避するために、キャリアアグリゲーションが使用されるときには、システムは同じセル内の搬送波に異なるセルＩＤを割り振る必要がある。同じセルとは同じ地理的場所にあるセルをいい、異なるセルとは異なる地理的場所にあるセルをいう。
【０００５】
しかし、本発明を実施するに際して発明者らは、同じセル内の複数の搬送波のセルＩＤ間の関係がそれらのセルＩＤによる影響を受ける様々な信号を考慮して明確に定義されていない場合には、マルチキャリアシステムのためのセル計画が難しくなり、異なるセル間の上りパイロット干渉さえも生じ得ることを見出した。
【発明の概要】
【発明が解決しようとする課題】
【０００６】
したがって、本発明は、マルチキャリアシステムのためのセル計画を円滑化するための、マルチキャリアシステムにおける信号の送信方法、受信方法、送信装置、および受信装置を対象とする。提示する方法および装置によれば、複数の搬送波が個々に計画される必要がない。そうではなく、複数のセルにおけるある周波数の搬送波が予定されている間は、これらのセルにおける他の周波数の搬送波は事前設定の計画に容易に従うことができ、よって、先行技術のマルチキャリアアグリゲーション条件下での異なるセル間の上りパイロット干渉を解決することができる。
【課題を解決するための手段】
【０００７】
本発明は以下のように実施される。
【０００８】
本発明の一実施形態は、マルチキャリアシステムにおいて信号を送る方法を提供し、この方法は、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、パラメータとして使用されるセルＩＤに従って系列を生成することと、
前記系列により形成された信号または前記系列の処理により形成された信号を送ることと、
を含む。
【０００９】
本発明の一実施形態は、マルチキャリアシステムにおいて信号を受け取る方法を提供し、この方法は、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、パラメータとして使用されるセルＩＤに従って生成される系列により形成された信号または該系列の作用により形成された信号を受け取ること
を含む。
【００１０】
本発明の一実施形態は、マルチキャリアシステムにおいて信号を受け取る別の方法を提供し、この方法は、
ユーザ端末（ＵＥ）が、同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、ネットワーク側エンティティによって提供されるセルＩＤを含む情報を受け取ること
を含む。
【００１１】
本発明の一実施形態は、マルチキャリアシステムにおいて信号を送る装置を提供し、この装置は、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たすセルＩＤをパラメータとして使用することにより系列を生成するように構成された第１の処理部と、
前記系列により形成された信号または前記系列の作用により形成された信号を送るように構成された第２の処理部と、
を含む。
【００１２】
本発明の一実施形態は、マルチキャリアシステムにおいて信号を受け取る別の装置を提供し、この装置は、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮでこれらのセルＩＤを割ることにより得られる余り間の対応関係を含む事前定義の関数対応関係を満たす、パラメータとして使用されるセルＩＤに従って生成される系列により形成された信号または該系列の作用により形成された信号を受け取るように構成された第３の処理部
を含む。
【００１３】
本発明の一実施形態は、マルチキャリアシステムにおいて信号を受け取る装置を提供し、この装置は、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、ネットワーク側エンティティによって提供されるセルＩＤを含む情報を受け取るように構成された第４の処理部
を含む。
【発明の効果】
【００１４】
上記の技術的解決策から、先行技術と比べて本発明には以下の利点および特徴を有することが分かる。本発明の各実施形態では、同じセル内の複数の搬送波のセルＩＤ間の対応関係が明確に定義され、これによりマルチキャリアシステムのためのセル計画が円滑化され、セル間における同じ周波数の異なる搬送波の上りパイロット干渉が確実に低くなる。
【図面の簡単な説明】
【００１５】
【図１】異なるセルにおける搬送波のセルＩＤを示す第１の概略図である。
【図２】異なるセルにおける搬送波のセルＩＤを示す第２の概略図である。
【図３】異なるセルにおける搬送波のセルＩＤを示す第３の概略図である。
【図４】本発明の一実施形態による、マルチキャリアシステムにおいて信号を受け取る方法を示す流れ図である。
【図５】本発明の別の実施形態による、マルチキャリアシステムにおいて信号を受け取る方法を示す流れ図である。
【図６】本発明の一実施形態による、マルチキャリアシステムにおいて信号を送る装置を示す概略的構造図である。
【図７】本発明の一実施形態による、マルチキャリアシステムにおいて信号を受け取る装置を示す概略的構造図である。
【図８】本発明の別の実施形態による、マルチキャリアシステムにおいて信号を受け取る装置を示す概略的構造図である。
【発明を実施するための形態】
【００１６】
既存のＬＴＥシステムでは５０４個のセルＩＤが提供されており、これらのセルＩＤの値は０から５０３までの範囲内にある。上りパイロットで使用することのできる系列は３０個の系列グループに分けられており、これに対応して、現在のＬＴＥシステムがセルＩＤに従って上りパイロットによって使用される系列グループを計算するための技術的解決策は以下の通りである（本発明と無関係な他のパラメータは省略する）。
【００１７】
あるセルについて上りパイロットのグループホッピングがアクティベートされるとき、そのセルのセルＩＤを３０で割った商の端数を切り捨てることにより得られる結果［ｆｌｏｏｒ（Ｃｅｌｌ＿ｉｄ／３０）］は０から１６までの範囲内にあり、値は全部で１７個である。得られた結果を擬似ランダム系列のシフトレジスタの初期値として使用すると、系列グループホッピングの系列グループ・ホッピング・パターンが生成され、例えば、これはｆ＿ｇｈで表され、ある系列グループ系列はａ＿１，ａ＿２，ａ＿３，…，ａ＿Ｎとして生成することができ、ここで、ａ＿１，ａ＿２，…は０から２９までの中からとられ、それぞれ系列グループ０から２９に対応する。
【００１８】
セルＩＤを３０で割ることにより得られる余り（Ｃｅｌｌ＿ｉｄ  ｍｏｄ  ３０）はそのセルの系列グループ・ホッピング・パターンの系列シフトパターンであり、この余りは、その値が０から２９までの範囲内にあるｆ＿ｓｓで表されるものとする。
【００１９】
セル内の上りパイロットによって使用される系列グループはグループ・ホッピング・パターンと系列シフトパターンとによって決定される［（ｆ＿ｇｈ＋ｆ＿ｓｓ）ｍｏｄ  ３０］。決定された系列グループ・ホッピング・パターンに対応する系列グループ系列は、ａ＿１，ａ＿２，…が０から２９までの中からとられるａ＿１，ａ＿２，ａ＿３，…，ａ＿Ｎであり、系列シフトパターンの値がｆ＿ｓｓである場合、上りパイロットの使用する系列グループはａ＿１＋ｆ＿ｓｓ，ａ＿２＋ｆ＿ｓｓ，…，ａ＿ｎ＋ｆ＿ｓｓであり、ａ＿ｎ＋ｆ＿ｓｓが３０より大きい場合、ａ＿ｎ＋ｆ＿ｓｓ  ｍｏｄ  ３０がその系列グループ番号になる。
【００２０】
あるセルについて上りパイロットのグループホッピングがアクティベートされないとき、上りパイロットによって使用される系列グループは、そのセルのセルＩＤを３０で割ることにより得られる余り（Ｃｅｌｌ＿ｉｄ  ｍｏｄ  ３０）、すなわちそのセルの系列シフトパターンによって決定される。前述のようにこの余りは０から２９までの値であり、ｆ＿ｓｓで表される。
【００２１】
ＵＥは、割り当てられた上り周波数リソースに従って送られるべき現在の系列グループ中のある長さの符号系列を決定する。
【００２２】
先行技術はセルＩＤと上りパイロットによって使用される系列グループとの対応関係を提供するため、セルＩＤを慎重に計画することによって、複数のセルの上りパイロット系列グループの計画を行い、それによって複数のセル間の上りパイロット干渉を低減することができる。
【００２３】
複数のセル間の上り基準信号干渉を低減するようなセルＩＤ計画によって、マルチキャリアシステムのためのセル計画およびマルチキャリアシステムにおける複数のセルの上りパイロット系列グループの計画を円滑化するために、一実施形態において本発明は、マルチキャリアシステムにおける信号の受信方法および送信方法を提供する。本発明の受信方法および送信方法では、系列がセルＩＤをパラメータとして使用することによって生成され、この系列により形成された信号またはこの系列の作用により形成された信号が送られまたは受け取られるとき、同じセル内の異なる搬送波のセルＩＤは、マルチキャリアシステムにおける異なるセルの上りパイロット系列グループのための計画を円滑化し、マルチキャリアシステムにおける異なるセル間の上りパイロット干渉の問題を回避するように、明確に事前定義された関数対応関係を有することが求められる。
【００２４】
上りパイロットによって使用されるセルＩＤと系列グループとの前述の関係では、事前定義の関数対応関係は以下の通りである。
【００２５】
基準搬送波のセルＩＤをＣｅｌｌ＿ｉｄ＿１とすると、第ｎの搬送波のセルＩＤ、Ｃｅｌｌ＿ｉｄ＿ｎと基準搬送波のセルＩＤ、Ｃｅｌｌ＿ｉｄ＿１との対応関係は、以下の２式またはこれら２式のいずれかによって表すことができる。
【００２６】
【数１】
2011526107.tif 000003
【００２７】
これらの２式において、ｆｌｏｏｒ（ｘ）は引数ｘの端数を切り捨てることを表し、例えば、ｆｌｏｏｒ（１６．５）＝１６であり、「／」は除算を表し、Ｙ  ｍｏｄ  ＸはＹをＸで割ることにより得られる余りを表し、例えば、５  ｍｏｄ  ３＝２であり、Ｎは０より大且つセルＩＤの最大値以下の任意の整数である。
【００２８】
ｆおよびｇは、マルチキャリアシステムにおける搬送波のセルＩＤ間の対応関係を指定する２つの関数である。ｆは２つのセルＩＤに対して「ｆｌｏｏｒ（Ｃｅｌｌ＿ｉｄ／Ｎ）」の演算をそれぞれ行うことによって得られる値間の関数関係を定義し、２つの引数はそれぞれ「ｆｌｏｏｒ（Ｃｅｌｌ＿ｉｄ／Ｎ）」及び搬送波の名前であり、それらの値は［０，１６］の範囲内の整数である。ｇは２つのセルＩＤに対して「Ｃｅｌｌ＿ｉｄ  ｍｏｄ  Ｎ」の演算をそれぞれ行うことによって得られる値間の関数関係を定義し、２つの引数はそれぞれ「Ｃｅｌｌ＿ｉｄ  ｍｏｄ  Ｎ」及び搬送波の名前であり、それらの値は［０，２９］の範囲内の整数である。さらに２つの引数はそれぞれ「ｆｌｏｏｒ（Ｃｅｌｌ＿ｉｄ／Ｎ）」及び搬送波の名前とすることもでき、それらの値は［０，ｃｅｉｌ（利用可能な最大のＣｅｌｌ＿ｉｄ／Ｎ）−１］の範囲内の整数である。ｃｅｉｌ（ｘ）はｘの端数を切り上げることを表し、例えば、ｃｅｉｌ（１６．５）＝１７である。ｇは２つのセルＩＤに対して「Ｃｅｌｌ＿ｉｄ  ｍｏｄ  Ｎ」の演算をそれぞれ行うことによって得られる値間の関数関係を定義し、２つの引数はそれぞれ「Ｃｅｌｌ＿ｉｄ  ｍｏｄ  Ｎ」及び搬送波の名前であり、それらの値は［０，（Ｎ−１）］の範囲内の整数である。
【００２９】
したがって、マルチキャリアシステムの同じセル内の上記事前定義の関数対応関係を有する搬送波の任意の２つのセルＩＤ間の対応関係は以下の通りである。
【００３０】
【数２】
2011526107.tif 000004
【００３１】
ｎが固定されているとき、ｆおよびｇは単一マッピングとすることも、ランダムマッピングとすることもでき、例えばｆ（ａ，ｎ）＝（ａ＋ｎ）ｍｏｄ  １７、またはｇ（ａ，ｎ）＝（ａ＋ｎ）ｍｏｄ  Ｎなどとすることができる。ｇは単一完全マッピングとすることができ、例えばｇは、ｇ（ａ，ｎ）＝（ａ＋ｎ）ｍｏｄ  Ｎ、またはｇ（ａ，ｎ）＝（（ａ＋１）＊ｎ  ｍｏｄ  ３１）−１として選択することもできる。ｆはさらにｆ（ａ，ｎ）＝（ａ＋ｎ）ｍｏｄ  Ｎで表すこともできる。
【００３２】
本発明の別の実施形態では、系列がセルＩＤをパラメータとして使用することによって生成され、系列により形成された信号または系列の作用により形成された信号が送られるとき、同じセル内の類似の伝搬特性および類似の対応カバレージを有する搬送波のセットまたはサブセットにおける異なる搬送波のセルＩＤは、明確に事前定義された関数対応関係を有することが求められ、同じセル内の異なる伝搬特性および異なる対応カバレージを有する搬送波のセルＩＤは、明確に事前定義された関数対応関係を持たなくてもよい。
【００３３】
以下に、マルチキャリアシステムにおける搬送波のセルＩＤを適正に計画することによって、マルチキャリアシステムのためにセル間の上りパイロットの系列グループをどのようにして計画すべきか説明するための一例を示す。
【００３４】
図１に示すように、Ｎ個の隣接する異なるセルがカバレージエリアを形成する。例えば、Ｎ＝３０の時、セルＩＤ１、セルＩＤ２、セルＩＤ３、…、セルＩＤ３０は異なるセルにおける同じ周波数の搬送波のセルＩＤであり、これらのセルＩＤの値は異なる。セルＩＤＩ、セルＩＤＩＩ、セルＩＤＩＩＩ、…、セルＩＤＸＸＸはこれらのセルにおける別の周波数の搬送波のセルＩＤであり、これら別の周波数の搬送波のセルＩＤの値は異なる。しかし、２つのセルＩＤのグループには同じ値の要素が存在する可能性があり、例えば、セルＩＤ３０がセルＩＤＩと等しい場合もある。同じセル内の異なる搬送波のセルＩＤは明確に事前定義された関数対応関係を有するため、上りパイロット系列グループの計画はｆおよびｇを適正に計画することによって実施することができ、したがってマルチキャリアシステムにおける異なるセル間の上りパイロット干渉の問題を回避することができる。
【００３５】
セルＩＤは、以下の例に従って異なるセル内の同じ周波数の２つの搬送波に割り当てられ、関数ｆおよび関数ｇを選択した後、複数のセル内のある周波数の搬送波が予定されている間は、これらのセル内の他の周波数の搬送波は事前設定の計画に容易に従うことができる。
【００３６】
１つのセルを例に取ると、このセル内の２つの搬送波のセルＩＤがＣｅｌｌ＿ｉｄ＿３およびＣｅｌｌ＿ｌｄ＿ＩＩＩであり、このセル内の２つの搬送波のセルＩＤが式（１）と式（２）の両方を満たす場合には、以下の通りである。
【００３７】
【数３】
2011526107.tif 000005
【００３８】
異なるセルでは、同じ周波数の搬送波のセルＩＤを３０で割ることにより生じる商の端数を切り捨てることにより得られる値は同じであり、これらは以下の通りである。
【００３９】
【数４】
2011526107.tif 000006
【００４０】
式（７）と式（８）は同一である場合もあり、この場合、３０個のセル内の２つの周波数の搬送波の上りパイロット系列グループのグループ・ホッピング・パターンは、図２に示すように同じである。式（７）と式（８）は異なる場合もあり、この場合、３０個のセル内の２つの周波数の搬送波の上りパイロット系列グループのグループ・ホッピング・パターンは、図３に示すように異なる。
【００４１】
異なるセル内の２つの周波数の搬送波のセルＩＤを３０で割ることにより得られる余りは、｛Ｃｅｌｌ＿ｉｄ＿１  ｍｏｄ  ３０，…，Ｃｅｌｌ＿ｉｄ＿３０  ｍｏｄ  ３０｝及び｛Ｃｅｌｌ＿ｉｄ＿Ｉ  ｍｏｄ  ３０，…，Ｃｅｌｌ＿ｉｄ＿ＸＸＸ  ｍｏｄ  ３０｝、すなわち、その値がそれぞれ反復なしで［０，２９］の中からとられる上りパイロット系列グループの系列シフトパターンである。
【００４２】
前述のように、同じセル内の２つの搬送波のセルＩＤが式（２）を満たす場合には以下の通りである。
【００４３】
【数５】
2011526107.tif 000007
【００４４】
異なるセル内の２つの搬送波のセルＩＤを３０で割ることにより得られる余りは、｛Ｃｅｌｌ＿ｉｄ＿１  ｍｏｄ  ３０，…，  Ｃｅｌｌ＿ｉｄ＿３０  ｍｏｄ  ３０｝及び｛Ｃｅｌｌ＿ｉｄ＿Ｉ  ｍｏｄ  ３０，…，Ｃｅｌｌ＿ｉｄ＿ＸＸＸ  ｍｏｄ  ３０｝、すなわち、その値がそれぞれ反復なしで［０，２９］の中からとられる上りパイロット系列グループの系列シフトパターンである。
【００４５】
同じセル内の異なる搬送波のセルＩＤは明確に事前定義された関数対応関係を有するため、ｆおよびｇを適正に計画することによって隣接セル内の複数の搬送波にある一定の地理的関連付けを持たせることができ、例えば、２つの周波数の搬送波の上りパイロットによって使用される系列グループ・ホッピング・パターンは同一であり、系列シフトパターンだけが異なり、あるいは、２つの周波数の搬送波の上りパイロットによって使用される系列グループの系列シフトパターンはある一定の事前定義の関数対応関係を有する。その後、異なるセル間での上りパイロット干渉に備えて複数セル内のある周波数の搬送波上でセル計画が行われている間は、これらのセル内の他の周波数の搬送波は事前設定の計画に容易に従うことができ、よって、先行技術におけるキャリアアグリゲーションによって生じ得る上りパイロット系列の干渉が解決され、セル計画が簡略化される。
【００４６】
本発明の一実施形態は、マルチキャリアシステムにおいて信号を送る前述の方法に基づき、マルチキャリアシステムにおいて信号を受け取る方法を提供する。
【００４７】
図４は、本発明の一実施形態による、マルチキャリアシステムにおいて信号を受け取る方法の流れ図である。
【００４８】
同期チャネルによって搬送されるランダム系列がセルＩＤによって決定される。ＵＥは、複数の搬送波上の情報を受け取ると、ＬＴＥ端末の検出を上げることによって搬送波のセルＩＤを取得し、さらに、各搬送波上の同期チャネルによって搬送されるランダム系列を計算する。このように、複数の搬送波のセルＩＤは個々に検出される必要があり、この手順は複雑である。
【００４９】
本実施形態では、同じセル内の類似の伝搬特性および類似の対応カバレージを有する搬送波のセットまたはサブセットにおける複数の搬送波のセルＩＤが上記事前定義の関数対応関係を有することが求められ、ネットワーク側エンティティはＵＥに、ローカルセル内の前述の１つまたは複数の搬送波のセットまたはサブセットにおける搬送波の数、および各搬送波の周波数領域における位置を含むローカルセルのマルチキャリア構成情報を通知する。１構成搬送波上の同期チャネルを検出した後、ＵＥは、事前に取得したセルのマルチキャリア構成情報、および搬送波のセルＩＤ間の事前定義の関数対応関係に従って、対応搬送波のセットまたはサブセット内のその他の構成搬送波上の同期チャネルのランダム系列を計算し、信号を受け取る。
【００５０】
具体的には、この方法は以下のステップを含む。
【００５１】
ステップＳ４０１：ＵＥがセル内の構成搬送波のセルＩＤを検出する。
【００５２】
ステップＳ４０２：ネットワーク側エンティティによって送られたセルのマルチキャリア構成情報が受け取られる。
【００５３】
マルチキャリア構成情報は、セル内の１つまたは複数の搬送波のセットまたはサブセットの搬送波の数、および各搬送波の周波数領域における位置を含む。
【００５４】
ステップＳ４０３：ＵＥは、マルチキャリア構成情報と各構成搬送波のセルＩＤ間の事前定義の関数対応関係とに従った計算によって、対応搬送波のセットまたはサブセット内の別の構成搬送波の同期系列を取得し、その同期系列を受け取る。
【００５５】
ネットワーク側エンティティはマルチキャリア構成情報を、ブロードキャストまたは無線リソース制御（ＲＲＣ）専用シグナリングによって送ってもよいことに留意すべきである。
【００５６】
本発明の実施形態では、各搬送波のセルＩＤ間の事前定義の関数対応関係と、セル内の上記１つまたは複数の搬送波のセットまたはサブセットの数、および各搬送波の周波数領域における位置を含むＵＥに通知されるセルのマルチキャリア構成情報とによって、搬送波のセットまたはサブセット内の各構成搬送波のセルＩＤが計算され、各搬送波上の同期チャネルのランダム系列が検出され、受け取られるものであり、これは簡単で便利である。
【００５７】
図５は、本発明の別の実施形態による、マルチキャリアシステムにおいて信号を受け取る方法の流れ図である。
【００５８】
セルハンドオーバを行うとき、ＵＥは、サービスの連続性および安定したデータ転送速度を保証する必要がある。したがって、ハンドオーバの前後に、ネットワーク側エンティティはＵＥに安定した周波数リソースを割り当てる必要がある。その結果として、ＵＥは好ましくは、ハンドオーバ時にキャリアアグリゲーションをサポートする必要がある。
【００５９】
ハンドオーバ状態にあるＵＥは具体的なセルＩＤを知っているはずであり、それらの対応搬送波を隣接セル内で集約することができ、そのため、ハンドオーバ後にもキャリアアグリゲーションを適用することができる。先行技術では、ＵＥは、対応搬送波がある隣接セルに属するかどうか、および検出されたセルＩＤに従ってその隣接セル内で各搬送波を集約することができるかどうかを判定することができない。先行技術の他の欠点は、ハンドオーバのために隣接セルの信号強度が測定される必要があり、そのため、先行技術では、複数の搬送波のセルＩＤが個別に検出される必要があり、手順が複雑になることである。
【００６０】
この実施形態では、同じセル内の搬送波のセルＩＤが上記事前定義の関数対応関係を有することが求められ、マルチキャリアアグリゲーションの場合、ネットワーク側エンティティはＵＥに、セル内の上記１つまたは複数の搬送波のセットまたはサブセットにおける搬送波の数、および各搬送波の周波数領域における位置を含む隣接セルのマルチキャリア構成情報を通知する。隣接セル内の搬送波のセットまたはサブセットの構成搬送波上の同期チャネルを検出した後で、ＵＥは、事前に取得したマルチキャリア構成情報、および搬送波のセルＩＤ間の事前定義の関数対応関係に従って隣接セル内の搬送波のセットまたはサブセットにおけるその他の構成搬送波の同期チャネルの系列を計算し、信号を受け取って、隣接セル内の複数の搬送波上での検出および信号品質の測定を実施し、測定の結果に従ってさらにハンドオーバを行う。
【００６１】
具体的には、この方法は以下のステップを含む。
【００６２】
ステップＳ５０１：ネットワーク側エンティティによって送られた隣接セルのマルチキャリア構成情報が受け取られる。
【００６３】
マルチキャリア構成情報は、隣接セル内の上記１つまたは複数の搬送波のセットまたはサブセットにおける搬送波の数、および各搬送波の周波数領域における位置を含む。マルチキャリア構成情報は普通、複数の隣接セルのマルチキャリア構成情報である。
【００６４】
ステップＳ５０２：ＵＥが隣接セル内の構成搬送波のセルＩＤを検出する。
【００６５】
ステップＳ５０３：ＵＥは、マルチキャリア構成情報と各構成搬送波のセルＩＤ間の事前定義の関数対応関係とに従った計算によって隣接セル内の対応搬送波のセットまたはサブセットにおける別の構成搬送波の同期系列を取得し、その同期系列を受け取る。
【００６６】
ステップＳ５０４：ＵＥは、隣接セル内の各搬送波の検出されたセルＩＤに従って下りパイロットの系列およびその系列によってマップされる周波数領域における位置を計算し、信号を受け取り、その信号品質を測定する。
【００６７】
上記ステップＳ５０１からステップＳ５０４によって、隣接セル内の複数の搬送波上での検出および測定が達成される。通常は複数の隣接セルが検出され、測定される必要があり、よって、ステップＳ５０１、Ｓ５０２、Ｓ５０３、およびＳ５０４が繰り返される。
【００６８】
ネットワーク側エンティティはマルチキャリア構成情報を、ブロードキャストまたはＲＲＣ専用シグナリングによって送ってもよいことに留意すべきである。
【００６９】
本発明の実施形態では、ＵＥは、同じセル内の上記１つまたは複数の搬送波のセットまたはサブセットにおける搬送波のセルＩＤ間の事前定義の関数対応関係に従って、その対応搬送波が同じ隣接セルに属する特定のセルＩＤを決定し、さらに、集約することのできる特定の搬送波を決定することができる。したがって、ハンドオーバ後にもキャリアアグリゲーションを適用することができ、よって、隣接セル内の複数の搬送波の検出および信号品質の測定が簡略化される。
【００７０】
上記実施形態では、あるセルの構成搬送波のセルＩＤを検出した後で、ＵＥは、マルチキャリア構成情報とセル内の搬送波のセルＩＤ間の事前定義の関数対応関係とに従った計算によって、セル内の対応搬送波のセットまたはサブセットにおけるその他の構成搬送波の同期系列を取得し、それらの同期系列を受け取る。セル内の搬送波のセルＩＤ間の事前定義の関数対応関係は、ＵＥに事前に記憶されていてもよく、ネットワーク側エンティティによって提供されてもよい。
【００７１】
本発明の別の実施形態では、ネットワーク側エンティティは、ブロードキャストまたはＲＲＣ専用シグナリングを介してＵＥに上記事前定義の関数対応関係を有するセルＩＤを提供する。本発明の別の実施形態では、あるセルの構成搬送波のセルＩＤを検出した後で、ＵＥは、ネットワーク側エンティティにそのセルＩＤを含む要求情報を送ってもよく、その要求情報を受け取った後でネットワーク側エンティティはＵＥに、そのセルＩＤとの上記事前定義の関数対応関係を有するセルＩＤを提供する。
【００７２】
これらの方法の上記実施形態によれば、本発明の一実施形態はさらに、マルチキャリアシステムにおいて信号を送る装置を提供する。
【００７３】
本発明の一実施形態による、マルチキャリアシステムにおいて信号を送る装置が図６に示されており、この装置は第１の処理部６１と第２の処理部６２とを含む。
【００７４】
第１の処理部６１は、同じセル内の複数の搬送波のセルＩＤ間の事前定義の関数対応関係を満たすセルＩＤをパラメータとして使用することによって系列を生成するように構成されている。具体的にはこの系列は、パラメータとして使用される搬送波のセルＩＤに従って生成される。同じセル内の類似の伝搬特性および類似のカバレージを有する搬送波のセットまたはサブセットにおける任意の２つの搬送波のセルＩＤは事前定義の関数対応関係を有する。事前定義の関数対応関係については前述したものであり、ここではその詳細を繰り返さない。
【００７５】
第２の処理部６２は、系列により形成された信号または系列の作用により形成された信号を送るように構成されている。
【００７６】
この信号は上りパイロットの送信系列であり、上りパイロットによって搬送される送信系列は、グループ・ホッピング・パターンおよび系列シフトパターンによって決定される。別の実施形態では、この信号は同期チャネルのランダム信号であり、当然ながら他の信号とすることもでき、その具体例はここには示さない。
【００７７】
本発明の一実施形態による、マルチキャリアシステムにおいて信号を受け取る装置が図７に示されており、この装置は、信号を受け取る第３の処理部７１を含む。
【００７８】
この信号は、系列によって形成されまたはこの系列の作用によって形成される。搬送波のセルＩＤは前述の方法の項に示したように、事前定義の関数対応関係を満たす。
【００７９】
この信号は同期チャネルのランダム信号とすることもでき、この場合第３の処理部７１は、第１の検出部７１１と第４の処理部７１２とを含んでいてもよい。
【００８０】
第１の検出部７１１は、セルの構成搬送波上のセルＩＤを検出するように構成されている。
【００８１】
第４の処理部７１２は、事前に取得されたマルチキャリア構成情報とセル内の各構成搬送波のセルＩＤ間の事前定義の関数対応関係とに従った計算によって、セル内の同期チャネル上のその他の構成搬送波のランダム系列を取得し、そのランダム系列を受け取るように構成されている。マルチキャリア構成情報は、セル内の１つまたは複数の搬送波のセットまたはサブセットの搬送波の数、および各搬送波の周波数領域における位置を含む。
【００８２】
マルチキャリア構成情報はネットワーク側エンティティによって送られ、ネットワーク側エンティティはマルチキャリア情報を、ブロードキャストまたはＲＲＣ専用シグナリングによって送ることができる。
【００８３】
上記実施形態では、セル内の各搬送波のセルＩＤ間の事前定義の関数対応関係は、ＵＥに事前に記憶されていても、ネットワーク側エンティティによって提供されてもよく、事前定義の関数対応関係に従ってＵＥは、セル内のその他の構成搬送波上の同期チャネルのランダム系列を計算し、受け取る。本発明の別の実施形態では、ネットワーク側エンティティは、上記事前定義の関数対応関係を有するセルＩＤを、ブロードキャストまたはＲＲＣ専用シグナリングによってＵＥに提供する。以下の実施形態では、セル内の構成搬送波のセルＩＤを検出した後で、ＵＥはネットワーク側エンティティに要求を送り、ネットワーク側エンティティは要求に従ってＵＥに、そのセルＩＤと上記事前定義の関数対応関係を有するその他の搬送波のセルＩＤを提供し、ＵＥは、その他の搬送波のセルＩＤに従って同期チャネルのランダム系列を受け取る。
【００８４】
上記実施形態は主に、ＵＥによるセル内の搬送波の信号処理を説明するためのものである。以下で説明する実施形態では、ＵＥは、同じセル内の搬送波のセルＩＤ間の事前定義の関数対応関係に従って、ローカルセルの隣接セル内の搬送波の信号の処理を行う。本発明の別の実施形態による、マルチキャリアシステムにおいて信号を受け取る別の装置が図８に示されており、この装置は信号を受け取る第３の処理部８１を含む。この信号は、系列により形成されまたは系列の作用により形成される。搬送波のセルＩＤは、前述の方法の項に示した事前定義の関数対応関係を満たす。
【００８５】
この信号は同期チャネルのランダム信号とすることができ、この場合第３の処理部８１は、第２の検出部８１１と第５の処理部８１２を含んでいてもよい。
【００８６】
第２の検出部８１１は、ネットワーク側エンティティによって送られるマルチキャリア構成情報を受け取り、ローカルセルの隣接セル内の構成搬送波のセルＩＤを検出するように構成されており、マルチキャリア構成情報は、隣接セル内の搬送波のセットまたはサブセットにおける搬送波の数、および各搬送波の周波数領域における位置を含み、搬送波のセットまたはサブセットにおける搬送波は類似の伝搬特性およびカバレージを有する。
【００８７】
第５の処理部８１２は、隣接セルの各構成搬送波のセルＩＤ間の事前定義の関数対応関係に従った計算によって、隣接セル内のその他の構成搬送波上の同期チャネルのランダム系列を取得し、そのランダム系列を受け取るように構成されている。
【００８８】
マルチキャリア構成情報はネットワーク側エンティティによって送られ、ネットワーク側はマルチキャリア情報を、ブロードキャストまたはＲＲＣ専用シグナリングによって送ることができる。
【００８９】
別の実施形態では、ローカルセル内の構成搬送波のセルＩＤを検出した後、ＵＥはネットワーク側エンティティに要求を送り、ネットワーク側エンティティは要求に従ってＵＥに、そのセルＩＤと上記事前定義の関数対応関係を有するその他の搬送波のセルＩＤを提供し、ＵＥは各搬送波のセルＩＤに従って隣接セル内の搬送波上の同期チャネルのランダム系列を受け取る。この場合、本発明の実施形態による、マルチキャリアシステムにおいて信号を受け取る別の装置は第４の処理部を含む。
【００９０】
第４の処理部は、同じセル内の複数の搬送波のセルＩＤ間の事前定義の関数対応関係を満たす、ネットワーク側エンティティによって提供されるセルＩＤを含む情報を受け取るように構成されており、この事前定義の関数対応関係は、０より大且つセルＩＤの最大値以下の任意の整数であるＮで搬送波のセルＩＤを割ることにより生じる商の端数を切り捨てることにより得られる結果間の対応関係、および／または、Ｎで搬送波のセルＩＤを割ることにより得られる余り間の対応関係を含む。
【００９１】
Ｎで搬送波のセルＩＤを割った商の端数を切り捨てることにより得られる結果間の具体的対応関係は、０より大且つセルＩＤの最大値以下の任意の整数であるＮで搬送波のセルＩＤを割ることにより生じる商の端数を切り捨てることにより得られる結果が等しいことを含む。
【００９２】
当業者は、情報、メッセージ、および信号が、多種多様な技法および技術のいずれか１つを使用して表され得ることを理解するはずである。例えば、前述のメッセージおよび情報は、電圧、電流、電磁波、磁界もしくは磁性粒子、光場、またはこれらの組み合わせなどとして表すことができる。
【００９３】
当業者はさらに、本明細書の実施形態と組み合わせて、電子ハードウェア、コンピュータソフトウェア、またはこれらの組み合わせを用いて前述の各例の各部およびアルゴリズムステップを実施することができることも理解するはずである。ハードウェアとソフトウェアとの互換性を明確に示すために、以上の説明においては、各例の構成要素およびステップを機能に従って一般的に示してある。これらの機能がハードウェアモードで実行されるかまたはソフトウェアモードで実行されるかは、個々の用途および技術的解決策の設計制約条件に依存するものである。当業者は、個別用途ごとに異なる方法を使用して前述の機能を実施することができるが、その実施は、本発明の実施形態の範囲を超えるものとみなすべきではない。
【００９４】
本明細書の実施形態と組み合わせて、前述の方法またはアルゴリズムのステップが、ハードウェア、プロセッサによって実行されるソフトウェアモジュール、またはこれらの組み合わせを使用して直接実施されてもよい。ソフトウェアモジュールは、ランダム・アクセス・メモリ（ＲＡＭ）、メモリ、読取り専用メモリ（ＲＯＭ）、電気的プログラム可能ＲＯＭ（ＥＰＲＯＭ）、電気的消去可能プログラム可能ＲＯＭ（ＥＥＰＲＯＭ）、レジスタ、ハードディスク、取り外し可能磁気ディスク、ＣＤ−ＲＯＭ、または当技術分野で周知の他の形の任意の記憶媒体に配置されてもよい。
【００９５】
各実施形態に関する説明は、当業者が本発明の各実施形態を実施し、または使用することを可能にするものである。当業者には各実施形態に対する様々な改変が明らかであり、本明細書で定義する一般原理は、本発明の各実施形態の趣旨または範囲を逸脱することなく他の実施形態においても実施することができる。したがって、本発明の各実施形態は、本明細書の説明だけに限定され得るものではなく、本明細書の原理および新規の特徴に沿った最大限の範囲内に含めるべきである。
【００９６】
本出願は、参照によりその全文が本明細書に組み込まれる、「SENDING METHOD, RECEIVING METHOD, SENDING DEVICE, AND RECEIVING DEVICE FOR SIGNALS IN MULTI-CARRIER SYSTEM」という名称の２００８年６月２４日に中国特許庁に出願された中国特許出願第２００８１０１２５０１４．０号の優先権を主張するものである。
【図１】
2011526107.tif 000008
【図２】
2011526107.tif 000009
【図３】
2011526107.tif 000010
【図４】
2011526107.tif 000011
【図５】
2011526107.tif 000012
【図６】
2011526107.tif 000013
【図７】
2011526107.tif 000014
【図８】
2011526107.tif 000015
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
マルチキャリアシステムにおいて信号を送る方法であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たす、パラメータとして使用されるセルＩＤに従って系列を生成することと、
前記系列により形成された信号または前記系列の処理により形成された信号を送ることと、
を含む、方法。
【請求項２】
前記Ｎで搬送波のセルＩＤを割ることにより生じる商の端数を切り捨てることにより得られる結果間の対応関係は、
Ｎで搬送波のセルＩＤを割ることにより生じる商の端数を切り捨てることにより得られる結果が等しいことを含む、
請求項１に記載の方法。
【請求項３】
前記Ｎで搬送波のセルＩＤを割ることにより得られる余り間の対応関係は、
Ｎで搬送波のセルＩＤを割ることにより得られる余りが等しいことを含む、
請求項１に記載の方法。
【請求項４】
前記信号は、上りパイロットの符号系列または同期チャネルのランダム信号を含む、
請求項１に記載の方法。
【請求項５】
マルチキャリアシステムにおいて信号を受け取る方法であって、
セルまたは隣接セル内の構成搬送波のセルＩＤを検出することと、
ネットワーク側エンティティによって送られた前記セルまたは前記隣接セルのマルチキャリア構成情報を取得することと、
前記セルまたは前記隣接セル内の構成搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係と、前記ネットワーク側エンティティによって提供された前記マルチキャリア構成情報とに従った計算によって得られる、前記セルまたは前記隣接セル内の別の構成搬送波の同期チャネル上のランダム系列を取得することと、
前記ランダム系列を受け取ることと、
を含む、方法。
【請求項６】
前記Ｎで搬送波のセルＩＤを割ることにより生じる商の端数を切り捨てることにより得られる結果間の対応関係は、
Ｎで搬送波のセルＩＤを割ることにより生じる商の端数を切り捨てることにより得られる結果が等しいことを含む、
請求項５に記載の方法。
【請求項７】
前記Ｎで搬送波のセルＩＤを割ることにより得られる余り間の対応関係は、
Ｎで搬送波のセルＩＤを割ることにより得られる余りが等しいことを含む、
請求項５に記載の方法。
【請求項８】
前記マルチキャリア構成情報は、前記セルまたは前記隣接セル内の１つまたは複数の搬送波のセットまたはサブセットにおける搬送波の数および搬送波の周波数領域における位置を含む、
請求項５に記載の方法。
【請求項９】
前記マルチキャリア構成情報は、前記ネットワーク側エンティティによってブロードキャストまたは専用シグナリングを介して提供される、
請求項５に記載の方法。
【請求項１０】
マルチキャリアシステムにおいて信号を送る装置であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係を満たすセルＩＤをパラメータとして使用することにより系列を生成するように構成された第１の処理部と、
前記系列により形成された信号または前記系列の作用により形成された信号を送るように構成された第２の処理部と、
を備える、装置。
【請求項１１】
前記Ｎで搬送波のセルＩＤを割ることにより生じる商の端数を切り捨てることにより得られる結果間の対応関係は、
Ｎで搬送波のセルＩＤを割ることにより生じる商の端数を切り捨てることにより得られる結果が等しいことを含む、
請求項１０に記載の装置。
【請求項１２】
前記Ｎで搬送波のセルＩＤを割ることにより得られる余り間の対応関係は、
Ｎで搬送波のセルＩＤを割ることにより得られる余りが等しいことを含む、
請求項１０に記載の装置。
【請求項１３】
前記信号は、上りパイロットの符号系列または同期チャネルのランダム信号を含む、
請求項１０に記載の装置。
【請求項１４】
マルチキャリアシステムにおいて信号を受け取る装置であって、
同じセル内の複数の搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮでセルＩＤを割ることにより得られる余り間の対応関係を含む事前定義の関数対応関係を満たす、パラメータとして使用されるセルＩＤに従って生成される系列により形成された信号または前記系列の作用により形成された信号を受け取るように構成された第３の処理部
を備える、装置。
【請求項１５】
前記Ｎで搬送波のセルＩＤを割ることにより生じる商の端数を切り捨てることにより得られる結果間の対応関係は、
Ｎで搬送波のセルＩＤを割ることにより生じる商の端数を切り捨てることにより得られる結果が等しいことを含む、
請求項１４に記載の装置。
【請求項１６】
前記Ｎで搬送波のセルＩＤを割ることにより得られる余り間の対応関係は、
Ｎで搬送波のセルＩＤを割ることにより得られる余りが等しいことを含む、
請求項１４に記載の装置。
【請求項１７】
前記第３の処理部は、
ローカルセルの構成搬送波上のセルＩＤを検出するように構成された第１の検出部と、
前記セル内の各構成搬送波のセルＩＤ間の前記事前定義の関数対応関係と、類似の伝搬特性およびカバレージを有する前記セル内の１つまたは複数の搬送波のセットまたはサブセットにおける搬送波の数および搬送波の周波数領域における位置を含むネットワーク側エンティティによって提供されるマルチキャリア構成情報とに従った計算によって、前記セル内の別の構成搬送波の同期チャネル上のランダム系列を取得し、前記ランダム系列を受け取るように構成された第４の処理部と、
を備える、請求項１４に記載の装置。
【請求項１８】
前記第３の処理部は、
ネットワーク側エンティティによって送られる、類似の伝搬特性およびカバレージを有する、ローカルセルの隣接セル内の搬送波のセットまたはサブセットにおける搬送波の数および搬送波の周波数領域における位置を含むマルチキャリア構成情報を受け取り、前記隣接セルの構成搬送波上のセルＩＤを検出するように構成された第２の検出部と、
前記隣接セルの各構成搬送波のセルＩＤ間の前記事前定義の関数対応関係に従った計算により、前記隣接セル内の同期チャネル上の別の構成搬送波のランダム系列を取得し、前記ランダム系列を受け取るように構成された第５の処理部と、
を備える、請求項１４に記載の装置。
【請求項１９】
前記マルチキャリア構成情報は、前記ネットワーク側エンティティによってブロードキャストまたは専用シグナリングを介して提供される、
請求項１７に記載の装置。
【請求項２０】
前記マルチキャリア構成情報は、前記ネットワーク側エンティティによってブロードキャストまたは専用シグナリングを介して提供される、
請求項１８に記載の装置。
【手続補正２】
【補正対象書類名】明細書
【補正対象項目名】０００９
【補正方法】変更
【補正の内容】
【０００９】
本発明の一実施形態は、マルチキャリアシステムにおいて信号を受け取る方法を提供し、この方法は、
セルまたは隣接セル内の構成搬送波のセルＩＤを検出することと、
ネットワーク側エンティティによって送られた前記セルまたは前記隣接セルのマルチキャリア構成情報を取得することと、
前記セルまたは前記隣接セル内の構成搬送波のセルＩＤ間の、０より大且つセルＩＤの最大値以下の任意の整数であるＮで搬送波のセルＩＤを割ることにより生じる商の端数を切り捨てることにより得られる結果間の対応関係、および／またはＮで搬送波のセルＩＤを割ることにより得られる余り間の対応関係を含む事前定義の関数対応関係と、前記ネットワーク側エンティティによって提供された前記マルチキャリア構成情報とに従った計算によって得られる、前記セルまたは前記隣接セル内の別の構成搬送波の同期チャネル上のランダム系列を取得することと、
前記ランダム系列を受け取ることと、
を含む。
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】削除
【補正の内容】
【国際調査報告】
2011526107.tif 000016
2011526107.tif 000017
2011526107.tif 000018
2011526107.tif 000019
2011526107.tif 000020
2011526107.tif 000021
2011526107.tif 000022